(57)【特許請求の範囲】
【請求項１】
２個の相互に平行な離間するローラスピンドルの１個の周りにそれぞれ回転可能である２個のローラであって、これ等ローラの円周面は人の皮膚の上に設置することができ、前記ローラスピンドルの横方向に延びる所定の作動方向に人の皮膚の上に２個のローラを介してマッサージ器を動かす時、前記ローラが所定の回転方向に回転駆動される２個のローラを具え、更に、これ等２個のローラの区域にあって吸引空間を包囲している吸引室を具え、この吸引室は前記ローラスピンドルにほぼ垂直に延びる２個の横壁と、前記ローラスピンドルに平行に延び前記２個の横壁に連結されそれぞれ１個のローラの円周面に隣接する自由端を有する縦壁とを具え、人の皮膚に前記ローラを加えた時、人の皮膚に向く区域に前記吸引室が開放しており、人の皮膚を前記吸引室内に引き入れて皮膚の隆起部を形成するため人の皮膚に前記ローラを加えた時、前記吸引室内に負圧を発生させるポンプに空気移送連結部を介して空気移送のため前記吸引室が連結されているマッサージ器において、前記吸引室の少なくとも一方の縦壁をほぼ前記２個のローラ間に配置し、これ等２個のローラ間に配置された縦壁の自由端が他方のローラに向くこのローラの円周面の区域においてこの自由端に隣接するローラの円周面まで延びていることを特徴とするマッサージ器。
【請求項２】
所定の作動方向に見て後方にあるローラの円周面まで自由端を延ばしている前記吸引室の少なくとも前記縦壁をほぼ前記２個のローラ間に配置したことを特徴とする請求項１に記載のマッサージ器。
【請求項３】
所定の作動方向に見て後方にあるローラの円周面の区域であって、所定の作動方向に見て前方にあるローラから遠い円周面の区域に隣接して塵埃スクレーパを配置し、所定の作動方向に見て後方にあるローラの円周面に少なくとも１個のばねによって前記塵埃スクレーパを押圧することを特徴とする請求項２に記載のマッサージ器。
【請求項４】
前記吸引室の前記２個の縦壁をほぼ前記２個のローラ間に配置したことを特徴とする請求項１〜３のいずれか１項に記載のマッサージ器。
【請求項５】
更に、前記吸引室の前記２個の横壁をほぼ前記２個のローラ間に配置したことを特徴とする請求項４に記載のマッサージ器。
【請求項６】
前記吸引室の前記２個の縦壁、及び２個の横壁がこの吸引室の内部にいかなる隅角部をも有せず、ほぼ楕円形のドーム状吸引空間を形成していることを特徴とする請求項５に記載のマッサージ器。
【請求項７】
前記ローラスピンドルの横方向に延び前記吸引室から側方に突出する支持壁を前記２個のローラ間に配置された前記吸引室に固着し、この支持壁によって前記２個のローラを回転自在に支持したことを特徴とする請求項４〜６のいずれか１項に記載のマッサージ器。
【請求項８】
前記吸引室が１部を形成している吸引室支持体と、前記支持壁が一部を形成している支持装置とを設け、前記吸引室支持体をこの支持装置に固着したことを特徴とする請求項７に記載のマッサージ器。
【請求項９】
所定の作動方向に見て前記２個のローラのうちの少なくとも前方にあるローラの円周面の表面粗さを０ミクロンと２ミクロンとの間の範囲にしたことを特徴とする請求項１〜８のいずれか１項に記載のマッサージ器。
【請求項１０】
前記吸引室の前記２個の縦壁、及び２個の横壁の表面であって、人の皮膚に接触させ得る境界面の位置における表面の表面粗さを４ミクロンと８ミクロンとの間の範囲にしたことを特徴とする請求項１〜９のいずれか１項に記載のマッサージ器。
【請求項１１】
前記２個のローラを人の皮膚に加えた時、人の皮膚に向くこれ等ローラの区域において、これ等２個のローラに共通な接線平面に対して、前記２個の縦壁のおのおのの自由端の少なくとも大部分がマッサージ器の内方に向け後退していることを特徴とする請求項１〜１０のいずれか１項に記載のマッサージ器。
【請求項１２】
最大で0.2mmの間隙幅を有する空隙を形成するよう、前記２個の縦壁のおのおのの自由端がローラの円周面まで延びていることを特徴とする請求項１〜１１のいずれか１項に記載のマッサージ器。
【請求項１３】
前記吸引室の前記２個の縦壁のうちの少なくとも１個の縦壁の自由端がこの自由端に隣接するローラの円周面にプリロードにより押圧されている請求項１２に記載のマッサージ器。
【請求項１４】
所定の作動方向に見て前記吸引室の縦壁の前方にあるローラが円周溝を有し、このローラの後方にある縦壁がこのローラの円周溝にそれぞれ掛合する歯状壁突出部を有することを特徴とする請求項１〜１３のいずれか１項に記載のマッサージ器。
【発明の詳細な説明】
本発明は２個の相互に平行な離間するローラスピンドルの１個の周りにそれぞれ回転可能である２個のローラであって、これ等ローラの円周面は人の皮膚の上に設置することができ、ローラスピンドルの横方向に延びる所定の作動方向に人の皮膚の上に２個のローラを介してマッサージ器を動かす時、ローラが所定の回転方向に回転駆動される２個のローラを具え、更に、これ等２個のローラの区域にあって吸引空間を包囲している吸引室を具え、この吸引室はローラスピンドルにほぼ垂直に延びる２個の横壁と、ローラスピンドルに平行に延び２個の横壁に連結されそれぞれ１個のローラの円周面に隣接する自由端を有する縦壁とを具え、人の皮膚にローラを加えた時、人の皮膚に向く区域に吸引室が開放しており、人の皮膚を吸引室内に引き入れて皮膚の隆起部を形成するため人の皮膚にローラを加えた時、吸引室内に負圧を発生させるポンプに空気移送連結部を介して空気移送のため吸引室が連結されているマッサージ器に関するものである。
頭書に明記した形式のマッサージ器は例えば米国特許第4729368号から既知である。この既知のマッサージ器においては、吸引室の２個の縦壁、及び２個の横壁が２個のローラの周りに延在するよう、吸引室の内側に２個のローラを配置している。このため、マッサージ器の作動中、吸引室が人の皮膚に接触する接触面積が比較的大きい。既知のマッサージ器のこの比較的大きな接触面積のため、人の皮膚と吸引室との間を適正にシールすることが比較的困難である。また、この比較的大きな接触面積の結果、吸引室の縦壁、及び横壁と人の皮膚との間に比較的大きな摩擦力が発生する。更に、この比較的大きな接触面積のため、吸引室内に発生する負圧によって、人の皮膚と、この皮膚に協働する吸引室の２個の縦壁、及び２個の横壁の一部との間に比較的高い表面圧力が発生し、その結果、人の皮膚の上にマッサージ器を動かすのに比較的大きな力を必要とする。ローラを吸引室の内側に配置し、従って吸引室の縦壁、及び横壁がローラの周りに延在しているため、吸引室は比較的大きな容積を有し、その結果、吸引室内に或る希望する負圧を得るため、所定のポンプ容量を有するポンプにより吸引室から空気を排気するのに比較的長い時間を必要とし、マッサージ器も比較的大形となり、更に、ローラスピンドルが横壁を貫通しているため、不所望の漏洩を生じ、その結果、吸引室における空気漏洩の問題を解決する必要がある。吸引室における空気漏洩の問題を解決するため、既知のマッサージ器は吸引室のカバー壁の位置に枢着されて２個のローラを包囲する２個のシールフラップを設け、マッサージ器の作動中、２個のローラの相互に遠方の円周面の部分にこれ等シールフラップを掛合させ、吸引室の内側をシールしている。しかし、マッサージ器の作動時間が増加すると、ローラが汚れる度合が増加し、２個のローラの円周面に付着する皮膚の粒子、その他の汚染物により、シールフラップと、２個のローラの円周面との間に好ましくない間隙を生じ、これ等２個のシールフラップが適正なシールを行わなくなる。最後に、既知のマッサージ器の他の問題は、マッサージ器の作動中、所定の作動方向に見て後方にあるローラと、吸引室の隣接する縦壁との間に、人の皮膚を捕捉し、即ち締めつけてしまうことである。
本発明の目的は、上述の従来のマッサージ器の問題点を解決し、頭書に記載されたマッサージ器を改良し、簡単化したマッサージ器を得るにある。この目的を達成するため、本発明マッサージ器は頭書に記載したマッサージ器において、前記吸引室の少なくとも一方の縦壁をほぼ前記２個のローラ間に配置し、これ等２個のローラ間に配置された縦壁の自由端が他方のローラに向くこのローラの円周面の区域においてこの自由端に隣接するローラの円周面まで延びていることを特徴とする。このようにして、吸引室が皮膚に接触する面積を比較的小さくすることができ、人の皮膚と吸引室との間、即ち皮膚とこの吸引室の２個の縦壁、及び２個の横壁との間の適正なシールを比較的簡単に達成する。皮膚に対する吸引室の接触面積が比較的小さいことは、吸引室の壁と人の皮膚との間に発生する摩擦力が比較的小さく、吸引室の壁と人の皮膚との間の表面圧力が比較的低く、その結果、人の皮膚の上にマッサージ器を比較的小さい力で動かすことができる利点を有する。また、他の利点は、吸引室の容積を比較的小さくすることができ、その結果、吸引室内に或る希望する負圧を得るため、所定のポンプ容量を有するポンプにより吸引室から比較的短時間に空気を排気することができると共に、このようなマッサージ器を比較的コンパクトに単純な構造にすることができることである。更に、吸引室がいかなる空気の漏洩の問題をも全く生じないか、又は生じたとしても僅かな漏洩を生ずるに過ぎない本発明マッサージ器を実現することができる。
本発明マッサージ器において、所定作動方向に前方に位置しているローラの円周面まで自由端を延長している吸引室の縦側壁を２個のローラの間に介挿することができる。しかし、本発明マッサージ器においては、所定の作動方向に見て後方にあるローラの円周面まで自由端を延ばしている吸引室の少なくとも縦壁をほぼ２個のローラ間に配置すれば有利であることが実証されている。このようにして、少なくとも所定の作動方向に見て後方に位置しているローラの位置では、後部ローラと、このローラまで延びる吸引室の縦壁との間で皮膚をはさみ込む危険がない。
上記のパラグラフに述べた本発明マッサージ器において、所定の作動方向に見て後方にあるローラの円周面の区域であって、所定の作動方向に見て前方にあるローラから遠い円周面の区域に隣接して塵埃スクレーパを配置し、所定の作動方向に見て後方にあるローラの円周面に少なくとも１個のばねによって塵埃スクレーパを押圧すれば非常に有利であることが立証されている。従って、所定の作動方向に見て後方にあるローラの位置でマッサージ器内に塵埃が進入せず、また所定の作動方向に見て後方に位置するローラの位置で人の皮膚がはまり込むことを、このローラの円周面に押圧される塵埃スクレーパによって防止することが簡単に達成される。
上述のマッサージ器において、吸引室の２個の縦壁をほぼ２個のローラ間に配置すれば特に有利であることが立証されている。このようにして、人の皮膚に対する吸引室の接触面積が非常に小さく、この結果、人の皮膚と吸引室の壁との間のシールが非常に良好になり、吸引室の壁と人の皮膚との間の摩擦力が小さくなり、表面圧力も非常に低くなる。更に、これにより吸引室の容積が非常に小さくなり、マッサージ器が非常にコンパクトな構造になる。本発明マッサージ器の非常に重要な他の利点は、吸引室の２個の横壁に貫通する通路が無く、又はローラスピンドルを支持する孔が無いので吸引室自身が絶対的にシールされ、従ってローラの支持手段によって起きる空気の漏洩の問題が絶対に無く、しかも完全にシールされた吸引室内に特に迅速に負圧を発生し得ることである。
上記のパラグラフに記載したマッサージ器において、更に吸引室の２個の横壁をほぼ２個のローラ間に配置すれば特に有利であることが実証されている。このことは、人の皮膚に対する吸引室の接触面積が特に小さいため、更に、吸引室の構造が特にコンパクトであるため有利である。
上記のパラグラフに記載された形式のマッサージ器において、吸引室の２個の縦壁、及び２個の横壁がこの吸引室の内部にいかなる隅角部をも有せず、ほぼ楕円形のドーム状吸引空間を形成すれば特に有利であることが立証されている。これは、吸引室に引き入れられる皮膚の部分との吸引室の協働作用が特に穏やかであり、吸引室の機械的剛さが望ましい比較的高い値にあるため有利である。
吸引室の両方の縦壁を２個のローラ間に配置する本発明マッサージ器において、ローラスピンドルの横方向に延び吸引室から側方に突出する支持壁を２個のローラ間に配置された吸引室に固着し、この支持壁によって２個のローラを回転自在に支持すれば非常に有利であることが更に立証されている。このように構成すれば、支持壁によって、吸引室に関して、即ち吸引室の２個の縦壁、及び２個の横壁に関して固定関係に２個のローラを回転自在に支持し、ローラが隣接する縦壁に関してローラが一定相対位置を占めること、及びローラとその隣接する縦壁との間の空隙が一定であることにより有利である。
上述のパラグラフに記載した形式のマッサージ器において、吸引室が１部を形成している吸引室支持体と、支持壁が一部を形成している支持装置とを設け、吸引室支持体をこの支持装置に固着すれば非常に有利であることが立証されている。この構成はマッサージ器の有利な構造のため好ましい。
ここに記載したマッサージ器において、所定の作動方向に見て２個のローラのうちの少なくとも前方にあるローラの円周面の表面粗さを０ミクロンと２ミクロンとの間の範囲にすれば非常に有利であることが立証されている。所定の方向に見て少なくとも前方にあるローラの円周面にこのような表面粗さを与えることによって、比較的硬い材料から成る鏡面仕上げの平滑なローラとしてローラが構成され、人の皮膚にローラが特に好適に付着し、従って、ローラを人の皮膚に良好に協働させることができる。２個のローラの円周面の表面粗さを０ミクロンと２ミクロンとの間の範囲にすることができるが、所定の作動方向に見て後部にあるローラの表面粗さを一層粗くし、比較的軟質の材料で造ることができる。
上述のマッサージ器において、吸引室の２個の縦壁、及び２個の横壁の表面であって、人の皮膚に接触させ得る境界面の位置の表面の表面粗さを４ミクロンと８ミクロンとの間の範囲にすれば非常に有利であることが実証されている。吸引室の壁が人の皮膚に付着する傾向が少なく、従って吸引室の壁と人の皮膚との間の摩擦が最小であるため、人の皮膚に接触させる吸引室の２個の縦壁、及び２個の横壁のこれ等境界面の位置でこのような表面粗さがあれば非常に好ましいことが立証されている。
上に記載した全てのマッサージ器において、更に、２個のローラを人の皮膚に加えた時、人の皮膚に向くこれ等ローラの区域において、これ等２個のローラに共通な接線平面に対して、２個の縦壁のおのおのの自由端の少なくとも大部分がマッサージ器の内方に向け後退していれば非常に有利であることが立証されている。この構成は人の皮膚に対する吸引室の縦壁の摩擦が最小であり、しかも人の皮膚に対する２個のローラの接触面積が比較的大きいため有利である。
上述の全てのマッサージ器において、最大で0.2mmの間隙幅を有する空隙を形成するよう、２個の縦壁のおのおのの自由端がローラの円周面まで延びていれば非常に有利であることが立証されている。このように構成すれば、ローラと吸引室の縦壁との間に人の皮膚がはさみ込まれるということが実質的に生じ得ない。
上述のパラグラフに記載した形式のマッサージ器において、吸引室の２個の縦壁のうちの少なくとも１個の縦壁の自由端がこの自由端に隣接するローラの円周面にプリロードにより押圧されていれば非常に有利であることが立証されている。この構成により、吸引室の縦壁の自由端はこの自由端に隣接するローラの円周面に常に確実に密接掛合し、ローラと吸引室の縦壁との間に人の皮膚をはさみ込むことは実際上起こり得ない。
上述の全てのマッサージ器において、所定の作動方向に見て吸引室の縦壁の前方にあるローラが円周溝を有し、このローラの後方にある縦壁がこのローラの円周溝にそれぞれ掛合する歯状壁突出部を有すれば非常に有利であることが立証されている。このように構成すれば、ローラとこのローラに隣接する吸引室の縦壁との間の間隙の区域から人の皮膚を有効に離間保持するため有利である。
本発明の上述の要旨、及びその他の要旨を次に記載する例示の実施例により明らかにする。
本発明を限定しない５個の例示の実施例を示す図面を参照して本発明を一層詳細に説明する。
図１は２個の回転駆動可能なローラと、これ等２個のローラ間に配置された２個の縦壁、及び２個の横壁を有する吸引室とを具える本発明の第１実施例のマッサージ器を示す下から見た斜視図である。
図２は特に２個の回転駆動可能なローラを駆動する駆動手段を線図的に示し、中心を通る断面で図１のマッサージ器の変形を示す。
図３はマッサージ器の吸引室内に負圧を発生し、この負圧に作用する手段を特に示し、図２の断面の反対側の断面で図１のマッサージ器の変形を示す。
図４は図１、及び図３に示すマッサージ器の吸引室のための吸引室支持体の下から見た斜視図である。
図５は図１及び図３に示すマッサージ器の図４に示す吸引室支持体の平面斜視図である。
図６はローラの駆動手段を支持し、ローラ自身をも支持する支持装置であって、図１、及び図３のマッサージ器の支持装置の斜視図である。
図７は本発明の第２実施例のマッサージ器のローラを示す。
図８は本発明の第３実施例のマッサージ器のローラを示す。
図９は本発明の第４実施例のマッサージ器の非常に線図的な断面図である。
図１０は図９と同様に本発明の第５実施例のマッサージ器の非常に線図的な断面図を示す。
図１〜図６を参照して本発明を実施するマッサージ器１を以下説明する。
このマッサージ器１はグリップ部材３を有するハウジング２を具え、このグリップ部材３の自由端はほぼ楕円形の端部４に変化するが、この端部４は手の指で握ることができる。端部４はその２個の側面の位置にそれぞれ押ボタン５、６を有する。各２個の押ボタン５、６は図３に示す真空解除弁装置７の空気弁を開く作用をする。この真空解除弁装置７を次に一層詳細に説明する。
軸線９の周りに回転可能である回転ノブ１０はハウジング２の一部８から突出する。回転ノブ１０をオフ位置からオン位置にセットすることができ、次に連続的にオン位置から種々の設定位置にセットすることができる。回転ノブ１０をそのオフ位置からそのオン位置にセットした時、このマッサージ器１のポンプ、即ちポンプモータはスイッチオンとなり、更にローラ駆動モータを作動させるための電力供給回路を作動させる。マッサージ器１の吸引室内に所定の負圧が達成されるまでは、ローラ駆動モータは実際上始動しない。所定の負圧が達成されたことを電子空気負圧スイッチによって検出し、吸引室内の所定の希望する負圧を検出した時、ローラ駆動モータをオンにする。回転ノブ１０をそのオン位置から種々の設定位置に回転することによって、制御可能な負圧制御弁を種々の負圧値に設定し、この制御可能な負圧制御弁によってマッサージ器１の吸引室内に種々の負圧値の負圧を得ることができる。
更に、マッサージ器１は図４、及び図５に別個に示す吸引室支持体１１を具える。吸引室支持体１１をマッサージ器１の支持装置１２に固着する。支持装置１２を図６に別個に示す。吸引室支持体１１を支持装置１２に連結するため、吸引室支持体１１に４個の脚１３、１４、１５、１６を設け、各脚のそれぞれ自由端近くに孔１７、１８、１９、２０を設ける。吸引室支持体１１を支持装置１２に連結するため、支持装置１２に４個の取付けスリーブ２１、２２、２３、２４を設ける。マッサージ器１の組立中、吸引室１１と支持装置１２とを組み立てた後、ゴム状材料から成り減衰手段として作用する図３に示す２個の中空円筒スリーブ２５と２６とを孔１７、１８、取付けスリーブ２１、２２と、孔１９、２０、取付けスリーブ２３、２４とにそれぞれ通し、その後、ボルト２７と２８とを各中空円筒スリーブ２５と２６とにそれぞれ通し、ナット（図示せず）を各ボルト２７と２８とに締め付け、吸引室支持体１１と支持装置１２とを相互に取り付ける。説明はしないが支持装置１２をハウジング２内に取り付けるから、吸引室支持体１１もハウジング２に取り付けられることに注意すべきである。
マッサージを行うため、図１〜図６に矢印２９に示す所定の作動方向に、人の身体の一部の上に、即ち人の身体の郵を覆う皮膚の上にこのマッサージ器１を動かすことができる。
このマッサージ器１は更に２個のローラ３０、３１を具える。２個の相互に離間する平行なローラスピンドル３２、３３の１個の周りに２個のローラ３０、３１のおのおのを回転可能にする。２個のローラ３０、３１を回転自在に支持するため、支持装置１２に２個の支持壁３４を設け、図６にその一方の支持壁３４を図示する。この支持壁３４に２個の軸受孔３５、３６を設け、ローラスピンドル３２、３３をこれ等軸受孔内に回転自在に支持する。図３に点線で線図的に示した人の皮膚３９上に２個のローラ３０、３１をその周面３７、３８によって設置することができる。ローラスピンドル３２、３３の横方向に延びる作動方向２９の方向に、人の皮膚３９の上にこのマッサージ器１、及びその２個のローラ３０、３１を動かしている間、２個のローラ３０、３１を所定の回転方向にそれぞれ駆動することができる。このマッサージ器１においては、図２、及び図３に２個の矢印４０、４１によって示すように各２個のローラ３０、３１はそれぞれ同一方向に駆動される。
２個のローラ３０、３１を人の皮膚３９に当てた後、マッサージ器１、及びその２個のローラ３０、３１を皮膚３９の上に動かす際に、２個のローラ３０、３１と皮膚３９との間に生じる摩擦により２個のローラ３０、３１を回転させることも考えることができる。しかし、このマッサージ器１においては、２個のローラ３０、３１をモータで駆動する。この目的のため、図２にマッサージ器１の一変形について示すように、マッサージ器１は支持装置１２に取り付けられたローラ駆動モータ４２を具える。このローラ駆動モータの称呼速度は約8000rpmである。このローラ駆動モータ４２によってモータ軸４３を介して第１歯車４４を駆動する。この第１歯車４４は第２歯車４５に噛合する。この第２歯車４５はスピンドル４６によって支持装置１２に回転自在に支持されている。
第２歯車４５は第３歯車４７に対し同軸であり、第３歯車４７と共に回転するようこの第３歯車４７にロックされている。この第３歯車４７は第４歯車４８に噛合する。この第４歯車４８はスピンドル４９によって支持装置１２に回転自在に支持されている。第４歯車４８は第５歯車５０に同軸であり、第５歯車５０と共に回転するようこの第５歯車５０にロックされている。この第５歯車５０は第６歯車５１に噛合する。この第６歯車５１は第２歯車４５と同軸であり、同一の直径を有する。第６歯車５１もスピンドル４６によって支持装置１２上に回転自在に支持されている。第６歯車５１は第７歯車５２に同軸であり、第７歯車５２と共に回転するようこの第７歯車５２にロックされている。この第７歯車５２は第８歯車５３に噛合しており、この第８歯車５３は図２に図示していないスピンドルによって支持装置１２に回転自在に支持されている。第８歯車５３は第９歯車５４に噛合しており、この第９歯車５４はローラ３０と同軸であり、ローラ３０と共に回転するようこのローラ３０にロックされている。また第８歯車５３は第１０歯車５５に噛合しており、この第１０歯車５５はローラ３１と同軸であり、ローラ３１と共に回転するようこのローラ３１にロックされている。上述の歯車機構によって、２個のローラ３０、３１をローラ駆動モータ４２によって所定の回転方向４０、４１の方向に回転させることができ、両方のローラは約50rpmの速度で駆動される。
図３において、このマッサージ器１においては、所定の作動方向２９の方向に見て前方にある前部ローラ３０は全体を比較的硬質の材料で造り、ローラ３０の円周面３７が０ミクロンと２ミクロンとの間の表面粗さ範囲を有するのが好適であることを２個のローラ３０、３１に関し注意すべきである。作動方向２９の方向に見て後方にある後部ローラ３１の内部も比較的硬質の材料で造り、この内部を比較的軟質の材料のシェルによって包囲し、後部ローラ３１の円周面３８を前部ローラ３０の円周面３７より一層粗い表面にする。後部ローラ３１の円周面３８はほぼ３ミクロンと６ミクロンとの間の範囲にある。
このマッサージ器１は更に、２個のローラ３０、３１の区域に吸引空間を画成する吸引室５６を有する。この吸引室５６はローラスピンドル３２、３３にほぼ垂直に延びる２個の横壁５７、５８と、これ等ローラスピンドル３２、３３に平行に延び２個の横壁５７、５８に連結される２個の縦壁５９、６０と、２個の横壁５７、５８、及び２個の縦壁５９、６０の両方に連結されるカバー壁６１とを有する。ローラ３０、３１を人の皮膚３９に加えた時、吸引室５６は人の皮膚３９に向く区域に開放している。各２個の縦壁５９、６０はローラ３０、３１の円周面３７、３８に隣接して自由端６２、６３を有する。ローラのスピンドル３２、３３の方向に見て、この自由端はその中心部のみがほぼ直線状であり、２個のローラのスピンドル３２、３３にほぼ平行に延在するがその２個の端部で湾曲した形状である。
特に図５から明らかなように、吸引室５６は２個の並置された連結管６４、６５を有する。空気の移送のため、第１連結管６４によって、図３に示す第１空気移送管６６を通じて吸引室５６をポンプ６７に連結する。このポンプ６７はマッサージ器１内に配置され、支持装置１２に取り付けられている。ポンプ６７はポンプ６７の空気ポンプ装置を駆動するポンプモータ６８を具える。この場合には、第１連結管６４とポンプ６７との間の第１空気移送管６６は第１連結管６４に嵌着した第１ホース部６９と、この第１ホース部６９に連結された第１Ｔ継手７０と、第２ホース部７１とを具える。この第２ホース部７１は第１Ｔ継手７０と、図３には図示しないポンプ連結部とに連結されている。ローラ３０、３１を人の皮膚３９に加えた時、ポンプ６７は吸引室５６内に負圧を発生させることができ、図３に点線にて線図的に示すように、皮膚の隆起部７２を吸引室５６内に引き入れる。
このマッサージ器１において、上述の真空解除弁装置７は第３ホース部７３を介して第１Ｔ継手７０に連結されている。負圧解除弁装置７は２個の空気弁を具え、図３には一方の空気弁７４を示す。押ボタン６の操作により、空気弁７４を開くことができる。押ボタン５の操作により開くことができる第２空気弁（図３に図示せず）、又は空気弁７４を開く時、ポンプ６７によって吸引室５６内に予め形成されていた負圧は、第３ホース部７３、第１Ｔ継手７０、第１ホース部６９、及び第１連結管６４を通じて消滅する。このことは吸引室５６、即ちマッサージ器１を人の皮膚３９から容易に苦痛無く取り外すことができるので有利である。
このマッサージ器１においては、第２空気移送管７５を吸引室５６の第２連結管６５に連結する。この第２空気移送管７５は吸引室５６の第２連結管６５に嵌着された第４ホース部７６と、第４ホース部７６に連結された第２Ｔ継手７７と、第２Ｔ継手７７、及び負圧制御弁７９に連結された第５ホース部７８とを具える。
回転ノブ１０を適切に回転することによって、負圧制御弁７９により吸引室５６内に希望する負圧値の負圧を選択することができる。ポンプ６７のポンプ作用によってマッサージ器１の吸引室５６内に発生し得る負圧がまだ所定値に到達していない限り、負圧制御弁７９はその閉塞状態にある。しかし、吸引室５６内の希望する負圧が超過する値になると、負圧制御弁７９は自動的に開き、吸引室５６内に希望する負圧が確立するまで、空気移送管７５を通じて吸引室５６内に漏洩空気を流入させる。
マッサージ器１においては、第６ホース部８０を介して電子空気負圧スイッチ８１は第２Ｔ継手７７に接続されている。負圧の所定値に関して、負圧スイッチ８１は電気スイッチ機能を遂行する。負圧スイッチ８１は例えば約８０ミリバールの値の所定の負圧で電気スイッチ機能を遂行する。マッサージ器１においては、負圧スイッチ８１はローラ駆動モータ４２のためのモータ電源装置（図示せず）の一部を形成しており、吸引室５６内に所定の負圧が得られた時、この負圧スイッチ８１によってローラ駆動モータ４２をオンにする。このことは、マッサージ器１、及びその２個のローラ３０、３１を人の皮膚３９に加えた後でも、吸引室５６内に所定の負圧が生ずるまでは、即ち皮膚の隆起部が形成されるまでは２個のローラ３０、３１は駆動されない利点がある。
図１〜図３から明らかなように、マッサージ器１内の吸引室５６の２個の縦壁５９、６０はここでは２個のローラ３０、３１間に介挿されている便に吸引室の２個の横壁５７、５８も２個のローラ３０、３１間にほぼ配置されている。また図１〜図３から明らかなように、２個のローラ３０、３１間に介挿された縦壁５９、又は６０の各自由端６２、６３はローラ３０、又は３１のそれぞれの円周面３７、又は３８まで延びている。その円周面は互いに他のローラ３１、又は３０に向く円周面の区域内でこの自由端６２、又は６３に隣接している。このマッサージ器１においては、各２個の縦壁５９、６０のそれぞれの自由端６２、又は６３はローラ３０、又は３１のそれぞれの円周面３７、又は３８まで延びており、約0.1mmの間隙幅を有する空隙（図示せず）を形成している。縦壁５９、６０の自由端６２、６３と、２個のローラ３０、３１の円周面３７、３８との間の空隙の間隙幅は例えば0.05mmのような一層小さい値にすることもでき、例えば0.15mm〜0.2mmのような一層大きい値にすることもできる。
図１〜図５から、また特に図１、図４、及び図５から明らかなように、各２個の縦壁５９、６０の自由端６２、６３の大部分は図２に鎖線８２によって示す接線平面からマッサージ器の内方に後退している。この接線平面はローラ３０、３１を人の皮膚３９に加えた時、人の皮膚３９に向く区域において２個のローラ３０、３１に共通である。このことは人の皮膚３９上での吸引室５９の縦壁５９、６０の摩擦が小さくなるし、更に人の皮膚３９上での２個のローラ３０、３１の接触面積が最大になるため非常に有利である。
また、図１〜図４から明らかなように、２個の縦壁５９、６０、２個の横壁５７、５８、及び吸引室５６のカバー壁６１は吸引室５６の内側にいかなる隅角部も無く、ほぼ楕円形のドーム状吸引空間を区画しており、これは皮膚の隆起部７２の快適で入念なマッサージのために好適である。
マッサージ器１においては、吸引室５６の２個の縦壁５９、６０、及び２個の横壁５７、５８は人の皮膚３９に接触させることができる境界面の位置で約６ミクロンの表面粗さを有する。しかし、代案として、これ等の境界面の表面粗さを４ミクロン、５ミクロン、７ミクロン、又は８ミクロンにすることができる。このような表面粗さであれば、人の皮膚３９への吸引室５６の壁５７、５８、５９、６０の付着力が小さくなり、従って吸引室５６の壁５７、５８、５９、６０と人の皮膚３９との間の摩擦が最小になり有利であることが立証されている。
吸引室５６に関しては、図２、及び図３に示すように、吸引室５６のカバー壁６１の区域において、２個の連結管６４、６５に到る通路内にフィルタ８３を配置する。
図５において、マッサージ器の内部において、吸引室５６はこの吸引室５６に一体の３個の取付けスリーブ８４、８５、８６を有し、支持装置１２に貫通した固定ボルトをこれ等取付けスリーブ内にねじ込み、吸引室支持体１１と支持装置１２との間を付加的に固定連結する。
図３に示すようにマッサージ器１は所定の作動方向２９の方向に関して後方にあるローラ３１の円周面の区域に隣接して塵埃スクレーパ８７を設けるが、この円周面の区域は所定の作動方向２９の方向に関し前方にあるローラ３０から遠方にある円周面の区域である。捩じりコイルばねの形状のばね８８によって所定の作動方向２９の方向に後方にあるローラ３１の円周面３８にこのスクレーパ８７を押圧する。この塵埃スクレーパ８７によって所定の作動方向２９の方向に後方にあるローラ３１の区域において、マッサージ器１内に塵埃が進入するのを確実に防止し、所定の作動方向２９の方向に後方にあるローラ３１の区域に人の皮膚がはまり込むのを確実に防止することができる。これは人の皮膚がはまり込むのをローラ３１の円周面３８に押圧される塵埃スクレーパ８７によって防止するからである。
上述のマッサージ器においては、吸引室の２個の縦壁、及び２個の横壁の両方を２個のローラ間に配置することに起因し、皮膚上への吸引室の接触面積を非常に小さくすることを簡単に達成することができ、その結果、人の皮膚と吸引室、即ち吸引室の２個の縦壁、及び２個の横壁との間の適正なシールを簡単に達成することができる。吸引室、即ち吸引室の壁が人の皮膚に接する面積が特に小さいことは、吸引室の壁と人の皮膚との間に生ずる摩擦力が小さく、吸引室の壁と人の皮膚との間に生ずる表面圧力が低く、その結果、人の皮膚の上にマッサージ器を動かすのに小さい力で済む利点がある。上述のマッサージ器の他の利点は、吸引室が非常に容積が小さく、その結果、或る希望する負圧を得るため、マッサージ器内に組み込んだ所定の容量のポンプにより吸引室から比較的短時間に空気を排気することができることである。吸引室の容積が小さいため、マッサージ器を少なくとも吸引室の位置でコンパクトにすることができる。更に、上述のマッサージ器の特別な利点は、吸引室自身が完全にシールされ、従って、吸引室の位置で空気漏洩の問題は絶対に生ぜず、その結果、完全にシールされた吸引室内の特に迅速な負圧の発生が可能なことである。更に、吸引室のその内部のドーム状の丸い形状に起因し、吸引室内に引き込まれた皮膚の隆起部に吸引室を特に穏やかに協働させることを保証し、吸引室の高い機械的剛性を有利に達成することができる。吸引室、及び吸引室支持体に固着された支持装置の支持壁にマッサージ器の２個のローラを回転可能に取り付けることによって、支持装置の支持壁により２個のローラが吸引室、即ち吸引室の壁に対する固定関係に回転可能に支持される利点があり、隣接する縦壁に関してローラが一定相対位置になるため、即ち各ロールとその隣接する縦壁との間の空隙が一定になるため有利である。上述したマッサージ器の２個のローラの円周面の選択された表面粗さによって、ローラを人の皮膚に特に好適に協働させることができる。吸引室の縦壁と人の皮膚との間の摩擦が最小になるため、縦壁の自由端の大部分をマッサージ器の内部に後退させていることは好適であることも立証されている。
図７は本発明の第２実施例によるマッサージ器の詳細を示す。この詳細部分はマッサージ器１の所定作動方向２９の方向に見て前方にあるローラ３０を示しており、このローラ３０は矢印４０にて示す方向にローラスピンドル３２の周りに回転駆動される。一部のみを示した吸引室５６の縦壁５９は所定作動方向２９の方向に見てローラ３０の後方に配置されている。
図７に示すマッサージ器１において、ローラ３０は円周溝８９を有する。更に、マッサージ器１における所定作動方向２９の方向に見てローラ３０の後方の縦壁５９は歯状壁突出部９０を有する。各壁突出部９０はローラ３０の溝８９内に掛合する。この場合、壁突出部９０は縦壁５９の比較的短い突出部として形成されている。
図８は、図７と同様の方法で本発明の第３実施例によるマッサージ器の詳細を示す。この図面も所定の作動方向２９の方向に見て前方にあるローラ３０を示しており、このマッサージ器１の吸引室５６の縦壁５９はこのローラ３０に隣接して配置されている。このマッサージ器１のローラ３０も溝８９を有し、これ等溝内に縦壁５９の壁突出部９０が掛合する。この場合、壁突出部９０は縦壁５９の比較的長い弧状突起によって形成されており、この弧状突起の弧の半径はローラ３０の半径にほぼ等しい。
図９は本発明の第４実施例によるマッサージ器を非常に線図的に示す。このマッサージ器においては吸引室５６の唯１個の縦壁を２個のローラ３０、３１間に介挿しており、所定の作動方向２９に従って矢印４０、４１によって示される方向にローラ３０、３１を回転駆動する。所定の作動方向２９の方向に見て前方にあるローラ３０のローラスピンドル３２を図９に示すマッサージ器１の吸引室５６の２個の横壁に回転可能に支持する。吸引室５６の横壁のうちの唯１個の横壁９１を図９に示す。所定の作動方向２９の方向に見て後方にあるローラ３１のローラスピンドル３３は図９に示すマッサージ器１のハウジング２の２個の横壁部に回転可能に支持されている。ハウジング２のこれ等２個の横壁部のうちの１個の横壁部９２を図９に示す。
図９に示すマッサージ器１においても、吸引室５６は吸引室支持体１１の一部を形成している。この場合、線図的に示したねじ連結によって吸引室支持体１１をハウジング２に直接取り付ける。
既に述べたように、図９に示すマッサージ器１の２個のローラ３０、３１間に吸引室５６の唯１個の縦壁を介挿している。これは吸引室５６の縦壁９５であり、所定の作動方向２９の方向に見て後方にあるローラ３１の円周面３８まで縦壁９５の自由端９６を延ばす。所定の作動方向２９の方向に見て前方にあるローラ３０の円周面３７まで自由端９８を延ばしている吸引室５６の第２縦壁９７は所定の作動方向２９の方向に見てローラ３０の前にあり、従って２個のローラ３０、３１間に配置されていない。それにも拘らず、図９に示すマッサージ器１も人の皮膚３９上に吸引室５６が接触する面積が比較的小さく、吸引室５６の容積も比較的小さい。
図１０は、図９と同様の方法で、本発明の第５実施例によるマッサージ器１を示す。図９に示すマッサージ器に比較し、図１０に示すマッサージ器は図１０から明らかなように、第４実施例のマッサージ器に対しほぼ鏡面対称である。図１０に示すように、このマッサージ器１においては、所定の作動方向に見て前方にあるローラ３０のローラスピンドル３２はハウジング２の２個の横壁部に回転自在に支持される。図１０にはハウジング２のこれ等２個の横壁部のうちの唯１個の横壁９９を示す。所定の作動方向２９の方向に見て前方にあるローラ３１のローラスピンドル３３を吸引室５６の２個の横壁に回転自在に支持する。吸引室５６の２個の横壁のうちの唯１個の横壁１００を図１０に示す。
図１０に示すマッサージ器１においては、吸引室５６の唯１個の縦壁を２個のローラ３０の間に配置する。即ち吸引室５６の縦壁１０１の自由端１０２は所定の作動方向２９の方向に見て前方にあるローラ３０の円周面３７まで延びている。吸引室５６の第２縦壁１０３はハウジング２の縦壁部１０４によって一部覆われており、第２縦壁１０３の自由端１０５は所定の作動方向２９の方向に見てローラ３１の円周面３８まで延びている。この第２縦壁１０３は所定の作動方向２９の方向に見てローラ３１の後に位置し、従って２個のローラ３０、３１の間に配置されていない。
図１０に示すマッサージ器１において、吸引室５６の２個の縦壁１０１、１０３のそれぞれの自由端１０２、１０５がこれ等の自由端に隣接するローラ３０、３１の円周面３７、３８にプリロードを加えて押圧されるように、吸引室５６の構造を定める。図１０に示すマッサージ器１を組立中、２個の縦壁１０１、１０３がその自由端１０２、１０５の位置でローラ３０、３１によって負荷を受け、２個の縦壁１０１、１０３にプリロードを生ずるように縦壁１０１、１０３の適切な設計によってこのプリロードが得られるようにする。この自由端に隣接するローラの円周面に縦壁の自由端を押圧保持するプリロードは必ずしも関連する縦壁の設計によるとは限らず、縦壁に少なくとも一部一体化できる板ばねのような別個のばねを設けることにより達成することもできる。
図１０に示すマッサージ器も人の皮膚３９上の吸引室５６の壁の接触面積が比較的小さく、吸引室５６の容積も比較的小さい利点がある。
本発明は上述の実施例に限定されない。本発明の要旨は異なる構造のマッサージ器にも有利に適用することができる。これに関し、例えば、ローラ駆動モータによって回転駆動される２個のローラを具えるマッサージ器において、ローラ駆動モータと、２個のローラのおのおのとの間で相互に少なくとも一部独立している独立駆動伝動装置を設けることもでき、マッサージ器の所定の作動方向に見て前方にあるローラを後方にあるローラより一層早く駆動し、その結果、一層遅く駆動される後方にあるローラによって皮膚、又は組織が吸引室の外に動くよりも、一層早く駆動される前方にあるローラによって一層多くの皮膚、又は組織を吸引室内に送り込む傾向を生ぜしめ、これによりこのマッサージ器の吸引室内に引き込まれる皮膚の隆起部の形成における２個のローラの作用を助けるようにすることができることに注意すべきである。また、本発明マッサージ器において、２個のローラのうちの一方のローラのみをモータで駆動するようにすることができ、所定の作動方向に見て前方にあるローラをこのモータで駆動されるローラにすることができるが、後方にあるローラにすることもできる。既に述べたように、２個のローラのためのモータ駆動装置を本発明マッサージ器から完全に除くこともでき、また人の皮膚とローラとの間の単なる摩擦によってこれ等ローラを駆動するようにすることもできる。しかし、この場合には、２個のローラを不規則に駆動することになり、ローラを停止させてしまうこともある。
【図１】
0004040100.tif 000002
【図２】
0004040100.tif 000003
【図３】
0004040100.tif 000004
【図４】
0004040100.tif 000005
【図５】
0004040100.tif 000006
【図６】
0004040100.tif 000007
【図７】
0004040100.tif 000008
【図８】
0004040100.tif 000009
【図９】
0004040100.tif 000010
【図１０】
0004040100.tif 000011